【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
ａ）下記：
ａ′）下記式：
【化１】
2012532239.tif 000001
のメラミンフェニルホスホン酸塩
及び
ｂ′）下記式：
【化２】
2012532239.tif 000002
のグアニジンフェニルホスホン酸塩
〔式中、
Ｒ1〜Ｒ5は、互いに独立して、水素又はＣ1〜Ｃ4アルキル、ヒドロキシ、ヒドロキシ−Ｃ1〜Ｃ4アルキル及びＣ1〜Ｃ4アルコキシからなる群より選択される置換基を表し；
Ｒ6〜Ｒ9は、互いに独立して、水素又はＣ1〜Ｃ4アルキル、フェニル、フェニル−Ｃ1〜Ｃ4アルキル、（Ｃ1〜Ｃ4アルキル）1−3フェニル及び（Ｃ1〜Ｃ4アルキル）1−2ヒドロキシフェニルからなる群より選択される置換基を表し；そして
ｘは、１．０〜２．０の数を表す〕
からなる群より選択されるフェニルホスホン酸塩と；
ｂ）２，２，６，６−テトラアルキルピペリジン−１−オキシド、１−ヒドロキシ−２，２，６，６−テトラアルキルピペリジン、１−アルコキシ−２，２，６，６−テトラアルキルピペリジン、１−アシルオキシ−２，２，６，６−ピペリジン、１−ヒドロキシ−２，２，６，６−テトラアルキルピペラジン、１−アルコキシ−２，２，６，６−テトラアルキルピペラジン及び１−アシルオキシ−２，２，６，６−ピペラジンからなる群より選択されるテトラアルキルピペリジン又はテトラアルキルピペラジン誘導体と；
ｃ）ポリマー基材と
を含む、組成物。
【請求項２】
ａ）下記：
ａ′）メラミンフェニルホスホン酸塩（Ｉ）及び
ｂ′）グアニジンフェニルホスホン酸塩（ＩＩ）
〔ここで、
Ｒ1〜Ｒ5は水素を表すか；又は
１〜３つのＲ1〜Ｒ5は、Ｃ1〜Ｃ4アルキル、ヒドロキシ−Ｃ1〜Ｃ4アルキル及びＣ1〜Ｃ4アルコキシからなる群より選択される置換基を表し、他は水素を表し；
Ｒ6〜Ｒ9は、互いに独立して、水素又はＣ1〜Ｃ4アルキル及びフェニルからなる群より選択される置換基を表し；そして
ｘは、１．０〜２．０の数を表す〕
からなる群より選択されるフェニルホスホン酸塩と；
ｂ）２，２，６，６−テトラアルキルピペリジン−１−オキシド、１−ヒドロキシ−２，２，６，６−テトラアルキルピペリジン、１−アルコキシ−２，２，６，６−テトラアルキルピペリジン及び１−アシルオキシ−２，２，６，６−ピペリジンからなる群より選択されるテトラアルキルピペリジン誘導体と；
ｃ）ポリマー基材と
を含む、請求項１記載の組成物。
【請求項３】
ａ）下記：
ａ′）下記式：
【化３】
2012532239.tif 000003
〔式中、ｘは、１．０〜２．０の数を表す〕のメラミンフェニルホスホン酸塩；及び
ｂ′）下記式：
【化４】
2012532239.tif 000004
ｘは、１．０〜２．０の数を表す〕のグアニジンフェニルホスホン酸塩
からなる群より選択されるフェニルホスホン酸塩と；
ｂ）２，２，６，６−テトラアルキルピペリジン−１−オキシド、１−ヒドロキシ−２，２，６，６−テトラアルキルピペリジン、１−アルコキシ−２，２，６，６−テトラアルキルピペリジン及び１−アシルオキシ−２，２，６，６−ピペリジンからなる群より選択されるテトラアルキルピペリジン誘導体と；
ｃ）ポリマー基材と
を含む、請求項１記載の組成物。
【請求項４】
ａ）フェニルホスホン酸塩（Ｉ′）又は（ＩＩ′）と；
ｂ）１−アルコキシ−２，２，６，６−テトラアルキルピペリジン及び１−アシルオキシ−２，２，６，６−ピペリジンからなる群より選択されるテトラアルキルピペリジン誘導体と；
ｃ）ポリマー基材と
を含む、請求項３記載の組成物。
【請求項５】
ａ）フェニルホスホン酸塩（Ｉ′）又は（ＩＩ′）と；
ｂ）１−アルコキシ−２，２，６，６−テトラアルキルピペリジン及び１−アシルオキシ−２，２，６，６−ピペリジンからなる群より選択されるテトラアルキルピペリジン誘導体と；
ｃ）熱可塑性ポリマーと
を含む、請求項３記載の組成物。
【請求項６】
下記式：
【化５】
2012532239.tif 000005
の２，２，６，６−テトラアルキルピペリジン−１−オキシド、
下記式：
【化６】
2012532239.tif 000006
の１−ヒドロキシ−２，２，６，６−テトラアルキルピペリジン、
下記式：
【化７】
2012532239.tif 000007
の１−アルコキシ−２，２，６，６−テトラアルキルピペリジン、
下記式：
【化８】
2012532239.tif 000008
の１−アシルオキシ−２，２，６，６−ピペリジン
〔式中、
Ｒa及びＲbの一方は、
水素又はＮ置換基を表し、他方は、Ｏ置換基又はＣ置換基を表すか、或いは
Ｒa及びＲbは、両方とも、水素、Ｏ置換基又はＣ置換基を表し；
Ｒは、Ｃ1〜Ｃ20アルキル、Ｃ5〜Ｃ6シクロアルキル、又は追加の置換基を有する、Ｃ2〜Ｃ20アルキル、Ｃ5〜Ｃ6シクロアルキル若しくはＣ2〜Ｃ20アルケニルを表し；
Ａｃは、Ｃ1〜Ｃ20カルボン酸のアシル基を表し；
Ｒ1〜Ｒ4は、それぞれＣ1〜Ｃ4アルキルを表し；
Ｒ5及びＲ6は、互いに独立して、水素又はＣ1〜Ｃ4アルキル、Ｃ1〜Ｃ3アルキルフェニル及びフェニルからなる群より選択される置換基を表し；そして
Ｒ5及びＲ6は、一緒になってオキソを表す〕
からなる群より選択される少なくとも１つのテトラアルキルピペリジン誘導体を成分ｂ）として含む、請求項１記載の組成物。
【請求項７】
Ｒa及びＲbの一方が、
水素又はＮ置換基を表し、他方が、Ｏ置換基又はＣ置換基を表すか、或いは
Ｒa及びＲbが、両方とも、水素、Ｏ置換基又はＣ置換基を表し；
Ｒが、Ｃ1〜Ｃ8アルキル、Ｃ5〜Ｃ6シクロアルキル、又は追加の置換基を有する、Ｃ2〜Ｃ8アルキル、Ｃ5〜Ｃ6シクロアルキル若しくはＣ2〜Ｃ8アルケニルを表し；
Ａｃが、Ｃ1〜Ｃ8カルボン酸のアシル基を表し；
Ｒ1〜Ｒ4が、それぞれメチルであり；そして
Ｒ5及びＲ6が、それぞれ水素を表す
少なくとも１つのテトラアルキルピペリジン誘導体ＩＩＩａ、ＩＩＩｂ、ＩＩＩｃ又はＩＩＩｄを成分ｂ）として含む、請求項６記載の組成物。
【請求項８】
Ｒa及びＲbの一方が、
水素又はＮ置換基を表し、他方が、Ｏ置換基又はＣ置換基を表すか、或いは
Ｒa及びＲbが、両方とも、Ｏ置換基又はＣ置換基を表し；
Ｒが、Ｃ1〜Ｃ8アルキル、Ｃ5〜Ｃ6シクロアルキル、又はヒドロキシで置換されている、Ｃ2〜Ｃ8アルキル、Ｃ5〜Ｃ6シクロアルキル若しくはＣ2〜Ｃ8アルケニルを表し；
Ａｃが、Ｃ1〜Ｃ8カルボン酸のアシル基を表し；
Ｒ1〜Ｒ4が、それぞれメチルであり；そして
Ｒ5及びＲ6が、それぞれ水素を表す
少なくとも１つのテトラアルキルピペリジン誘導体ＩＩＩａ、ＩＩＩｂ、ＩＩＩｃ又はＩＩＩｄを成分ｂ）として含む、請求項６記載の組成物。
【請求項９】
下記：
１−シクロヘキシルオキシ−２，２，６，６−テトラメチル−４−オクタデシルアミノピペリジン、
ビス（１−オクチルオキシ−２，２，６，６−テトラメチルピペリジン−４−イル）セバケート、
２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン、
ビス（１−シクロヘキシルオキシ−２，２，６，６−テトラメチルピペリジン−４−イル）アジペート、
２，４−ビス〔（１−シクロヘキシルオキシ−２，２，６，６−テトラメチルピペリジン−４−イル）ブチルアミノ〕−６−クロロ−ｓ−トリアジン、
１−（２−ヒドロキシ−２−メチルプロポキシ）−４−ヒドロキシ−２，２，６，６−テトラメチルピペリジン、
１−（２−ヒドロキシ−２−メチルプロポキシ）−４−オキソ−２，２，６，６−テトラメチルピペリジン、
１−（２−ヒドロキシ−２−メチルプロポキシ）−４−オクタデカノイルオキシ−２，２，６，６−テトラメチルピペリジン、
ビス（１−（２−ヒドロキシ−２−メチルプロポキシ）−２，２，６，６−テトラメチルピペリジン−４−イル）セバケート、
ビス（１−（２−ヒドロキシ−２−メチルプロポキシ）−２，２，６，６−テトラメチルピペリジン−４−イル）アジペート、
２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジン、
２，４−ビス〔（１−シクロヘキシルオキシ−２，２，６，６−テトラメチルピペリジン−４−イル）ブチルアミノ〕−６−クロロ−ｓ−トリアジンとＮ，Ｎ′−ビス（３−アミノプロピル）エチレンジアミン）の反応生成物、
２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン、
４，４′−ヘキサメチレンビス（アミノ−２，２，６，６−テトラメチルピペリジン）と２−クロロ−４，６−ビス（ジブチルアミノ）−ｓ−トリアジンで末端をキャップされている２，４−ジクロロ−６−〔（１−シクロヘキシルオキシ−２，２，６，６−テトラメチルピペリジン−４−イル）ブチルアミノ〕−ｓ−トリアジンとの縮合物であるオリゴマー化合物、
下記式：
【化９】
2012532239.tif 000009
の化合物、及び
下記式：
【化１０】
2012532239.tif 000010
〔式中、ｎは１〜１５である〕の化合物
からなる群より選択される少なくとも１つのテトラアルキルピペリジン誘導体ＩＩＩｃ又はＩＩＩｄを成分ｂ）として含む、請求項４記載の組成物。
【請求項１０】
ａ）フェニルホスホン酸塩（Ｉ′）又は（ＩＩ′）と；
ｂ）下記：
１−シクロヘキシルオキシ−２，２，６，６−テトラメチル−４−オクタデシルアミノピペリジン、
ビス（１−オクチルオキシ−２，２，６，６−テトラメチルピペリジン−４−イル）セバケート、
２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン、
ビス（１−シクロヘキシルオキシ−２，２，６，６−テトラメチルピペリジン−４−イル）アジペート、
２，４−ビス〔（１−シクロヘキシルオキシ−２，２，６，６−テトラメチルピペリジン−４−イル）ブチルアミノ〕−６−クロロ−ｓ−トリアジン、
１−（２−ヒドロキシ−２−メチルプロポキシ）−４−ヒドロキシ−２，２，６，６−テトラメチルピペリジン、
１−（２−ヒドロキシ−２−メチルプロポキシ）−４−オキソ−２，２，６，６−テトラメチルピペリジン、
１−（２−ヒドロキシ−２−メチルプロポキシ）−４−オクタデカノイルオキシ−２，２，６，６−テトラメチルピペリジン、
ビス（１−（２−ヒドロキシ−２−メチルプロポキシ）−２，２，６，６−テトラメチルピペリジン−４−イル）セバケート、
ビス（１−（２−ヒドロキシ−２−メチルプロポキシ）−２，２，６，６−テトラメチルピペリジン−４−イル）アジペート、
２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジン、
２，４−ビス〔（１−シクロヘキシルオキシ−２，２，６，６−テトラメチルピペリジン−４−イル）ブチルアミノ〕−６−クロロ−ｓ−トリアジンとＮ，Ｎ′−ビス（３−アミノプロピル）エチレンジアミン）の反応生成物、
２，４−ビス〔（１−シクロヘキシルオキシ−２，２，６，６−テトラメチルピペリジン−４−イル）ブチルアミノ〕−６−（２−ヒドロキシエチルアミノ）−ｓ−トリアジン、
４，４′−ヘキサメチレンビス（アミノ−２，２，６，６−テトラメチルピペリジン）と２−クロロ−４，６−ビス（ジブチルアミノ）−ｓ−トリアジンで末端をキャップされている２，４−ジクロロ−６−〔（１−シクロヘキシルオキシ−２，２，６，６−テトラメチルピペリジン−４−イル）ブチルアミノ〕−ｓ−トリアジンとの縮合物であるオリゴマー化合物、
下記式：
【化１１】
2012532239.tif 000011
の化合物、及び
下記式：
【化１２】
2012532239.tif 000012
〔式中、ｎは１〜１５である〕の化合物
からなる群より選択される少なくとも１つのテトラアルキルピペリジン誘導体ＩＩＩｃ又はＩＩＩｄと；
ｃ）ポリオレフィンホモポリマー及びオレフィンの相互の又はビニルモノマーとのコポリマーからなる群より選択される熱可塑性ポリマーと
を含む、請求項１記載の組成物。
【請求項１１】
難燃剤として使用される、請求項１から１０までのいずれか１項記載の組成物。
【請求項１２】
ａ）下記：
ａ′）メラミンフェニルホスホン酸塩（Ｉ）及び
ｂ′）グアニジンフェニルホスホン酸塩（ＩＩ）
〔ここで、
Ｒ1〜Ｒ5は、互いに独立して、水素又はＣ1〜Ｃ4アルキル、ヒドロキシ、ヒドロキシ−Ｃ1〜Ｃ4アルキル及びＣ1〜Ｃ4アルコキシからなる群より選択される置換基を表し；
Ｒ6〜Ｒ9は、互いに独立して、水素又はＣ1〜Ｃ4アルキル、フェニル、フェニル−Ｃ1〜Ｃ4アルキル、（Ｃ1〜Ｃ4アルキル）1−3フェニル及び（Ｃ1〜Ｃ4アルキル）1−2ヒドロキシフェニルからなる群より選択される置換基を表し；そして
ｘは、１．０〜２．０の数を表す〕
からなる群より選択されるフェニルホスホン酸塩と；
ｂ）２，２，６，６−テトラアルキルピペリジン−１−オキシド、１−ヒドロキシ−２，２，６，６−テトラアルキルピペリジン、１−アルコキシ−２，２，６，６−テトラアルキルピペリジン及び１−アシルオキシ−２，２，６，６−ピペリジンからなる群より選択されるテトラアルキルピペリジン誘導体と；
を含む、混合物。
【請求項１３】
ポリマー基材に難燃性を付与する方法であって、成分ｃ）のポリマー基材に請求項１２記載の混合物を添加することを含む方法。